(57)【要約】【課題】誤ってキー入力されたかな文字列でも、改めて正しくキー入力をやり直すことなく、目的の漢字混じり文字に漢字変換する。【解決手段】特定業務に応じ、入力すべきキーの前後左右のキーの打鍵ミスにより生成されるかな文字列に対し、適切な変換候補を登録した各業務用のミス修正辞書を用意し、打鍵で入力ミスをしても、再度打鍵入力することなく、前記ミス修正辞書を参照することで目的のかな漢字混じり文に漢字変換する。【選択図】図１
2005258571.tif 000002
【特許請求の範囲】
【請求項１】
入力されたかな文字列を、漢字及び熟語からなる単語辞書と照合する照合手段により、かな漢字混じり文に変換するかな漢字変換装置であって、
ミス入力されたかな文字列に対応した正しい漢字または熟語を作成するミス修正辞書作成手段と、
ミス修正辞書作成手段により作成されたミス修正辞書と、
ミス入力により生成されたかな文字列に対する変換指示があった場合に、前記ミス修正辞書を参照して、対応する目的の漢字または熟語の候補として表示部に表示する変換候補表示手段と、
表示された候補文字から目的とする漢字または熟語の漢字文字を確定する手段と、
を有することを特徴とするかな漢字変換装置。
【請求項２】
ミス入力されたかな文字列が、前記ミス修正辞書に未登録である場合に、該文字列に対する正しい漢字または熟語を、前記ミス修正辞書に追加登録することを特徴とする請求項１のかな漢字変換装置。
【請求項３】
入力されたかな文字列を、漢字及び熟語からなる単語辞書と照合する照合手段により、かな漢字混じり文に変換するかな漢字変換方法において、
ミス入力されたかな文字列に対応した正しい漢字または熟語を作成するミス修正辞書作成手段により、ミス修正辞書を作成し、
ミス入力により生成されたかな文字列に対する変換指示があった場合に、前記ミス修正辞書を参照して、対応する目的の漢字または熟語の候補として表示部に表示し、
目的とする漢字または熟語の漢字文字を確定することを特徴とするかな漢字変換方法。
【請求項４】
コンピュータに、入力されたかな文字列を、漢字及び熟語からなる単語辞書と照合する照合手段により、かな漢字混じり文に変換するかな漢字変換させるプログラムであって、
ミス入力されたかな文字列に対応した正しい漢字または熟語を作成するミス修正辞書作成手段と、
ミス入力されたかな文字列に対する変換指示があった場合に、前記ミス修正辞書作成手段により作成されたミス修正辞書を参照して、対応する目的の漢字または熟語の候補として表示部に表示する変換候補表示手段と、
表示された候補文字から目的とする漢字または熟語の漢字文字を確定する変換文字確定手段と、
を実行させるためのプログラム。
【請求項５】
コンピュータに入力されたかな文字列を、漢字及び熟語からなる単語辞書と照合する照合手段により、かな漢字混じり文に変換するかな漢字変換させるためのプログラムを記録したコンピュータ読み取り可能な記録媒体であって、
ミス入力されたかな文字列に対応した正しい漢字または熟語を作成するミス修正辞書作成手段と、
ミス入力されたかな文字列に対する変換指示があった場合に、前記ミス修正辞書作成手段により作成されたミス修正辞書を参照して、対応する目的の漢字または熟語の候補として表示部に表示する変換候補表示手段と、
表示された候補文字から目的とする漢字または熟語の漢字文字を確定する変換文字確定手段と、
をコンピュータに実行させるためのプログラムを記録したコンピュータ読み取り可能な記録媒体。
【発明の詳細な説明】
【技術分野】
【０００１】
本発明は、キー入力された文字列をかな漢字変換する文書作成装置、および、かな漢字文字変換方法に関する。
【背景技術】
【０００２】
かな文字やローマ字入力された文字列を、かな漢字混じり文に変換する、かな漢字変換技術は、所謂、ワードプロセッサやパーソナルコンピュータ（ＰＣ）等においても広く実施されている。入力された文字列を漢字変換していく方法や、かな文字入力に対応する熟語を単語辞書を参照して漢字変換していく方法などは、例えば、特許文献１に記載されているような、各種の従来技術がある。
【０００３】
しかしながら、タイプミスにより誤ってキー入力されたかな文字列の場合、漢字変換されなかったり、予期せぬ漢字／熟語に変換されたりすることにより、オペレータ自身が入力ミスに気づき、改めて正しくキー入力をし直すことになる。この場合、ローマ字のアルファベット１文字を入力ミスしただけであっても、目的の漢字の読みを正しいかな文字列に全て入れ直すか、その１文字だけを修正するためにカーソルを動かした上、入力し直す等が必要である。つまり、入力ミスした場合は, 目的の文字を表示するまでに、数多く変換のための打鍵をしなければならなかった。また、このようなタイプミスにより誤ってキー入力されたかな文字列のままで、目的の漢字に変換されるような技術はなかった。
【特許文献１】特開平７−７８１５６号公報
【発明の開示】
【発明が解決しようとする課題】
【０００４】
本発明は、入力ミスにより、誤ってキー入力されたかな文字列のままでも、目的の漢字に変換されるようにすることを目的とする。
【課題を解決するための手段】
【０００５】
本発明は、ある特定業務の場合、使用する漢字及び熟語は、ある範囲に限定でき、また、頻度の多いミス入力に関連づけて対応することが可能であることから、タイプミス補正機構を設けることにより、改めて正しくキー入力し直さなくても、目的とする漢字変換候補を表示することを主要な特徴とする。
【発明の効果】
【０００６】
本発明のかな漢字変換技術によれば、打鍵で入力ミスをしても、特定業務に応じたミス修正辞書を参照して候補文字に変換するので、再度、打鍵入力することなく、目的の漢字混じり文に変換できる、という利点があり、メール、ワープロ、ターミナルエミュレータ等を利用し各業務を推進するとき、各業務処理用のミス修正辞書を用意することで、変換効率をあげ業務の効率を向上させる効果を有する。
【発明を実施するための最良の形態】
【０００７】
各業務を推進するとき、業務状況に応じて使用される漢字及び熟語に対して、打鍵ミスの可能性のある前後左右のキーから誤って入力されたかな文字列に対応させて、目的の変換候補の漢字または熟語を登録した、各業務処理用ミス修正辞書を用意し参照することで、改めて正しくキー入力し直さなくても、目的とする漢字混じり文に変換し、変換効率を上げる。また、未登録の、入力ミスしたかな文字列をミス修正辞書に追加登録し、その後の入力ミスに適用する。
【実施例】
【０００８】
図１は、本発明のかな文字入力からかな漢字変換する装置の概略構成図である。図１において、１は入力用キーボード、２は制御部、３は表示部、４は汎用辞書、５はミス修正辞書である。オペレータによりキーボード１から入力されたかな文字列は、漢字変換の指示を受けた制御部２により、汎用辞書４または個別業務用のミス修正辞書５が参照され、目的のかな漢字混じり文にかな漢字変換される。
【０００９】
図２は、ローマ字入力時のキーボード配列により、タイプミスの予測される文字列からミス修正辞書を作成する考え方を示したものである。即ち、例１として、発注業務のとき、「がっちゅう」とミス入力された文字列は、「はっちゅう」の可能性が強く、従って、「発注」の漢字を変換候補として、ミス修正辞書に登録する。一般に、ローマ字変換を利用してキーボードをタイプすると、図２のキーボードの配列から、『ＨＡＴＴＹＵＵ→はっちゅう→発注』に対するミス入力の可能性があるのは、以下の場合が考えられる。
ＧＡＴＴＹＵＵ→（１）がっちゅう  →発注
ＹＡＴＴＹＵＵ→（２）やっちゅう  →発注
ＮＡＴＴＹＵＵ→（３）なっちゅう  →発注
ＪＡＴＴＹＵＵ→（４）じゃっちゅう→発注
従って、（１）〜（４）のミス入力に対する文字列に全て「発注」に対応づけるミス修正辞書を作成する。
例２：「手配」の場合についても、同様である。
ＴＥＨＡＩ
ＴＥＧＡＩ
ＴＥＮＡＩ
ＴＥＹＡＩ
ＴＥＪＡＩ
一般的に、ワードプロセッサーやパソコンの文書作成ソフトウェアにおいて、漢字及び熟語等の単語登録を行ったり、漢字辞書を参照してかな漢字変換を行うためには、いくつかのキーボードのキーを設定する必要がある。例えば、かな文字入力して漢字に変換指示するための『変換』キー、変換せずにかな文字のままとする『無変換』キー、漢字等に変換された文字で確定するための『確定』キー、また、変換された漢字または熟語等の単語を単語辞書に登録するための『単語登録』キーなどが必要である。尚、変換の確定には、『確定』キーを押下しなくても、次のかな入力を行うと自動的に確定と見做す場合もある。
【００１０】
更に、本発明では、ミス入力されたままのかな文字列のままで、目的の漢字または熟語等の単語に割り当て、個別業務用ミス修正辞書に単語登録をするキーとして、例えば、『拡張』キー＋『単語登録』キーの押下の場合をこれに割り当て、これを『強制登録』キーと称することとする。即ち、汎用辞書にもミス修正辞書にも登録されていない場合に、入力されたままのかな文字列が表示されている状態でこの『強制登録』キーを押し、さらに、この文字列のミス入力文字を正しい文字に修正し、目的の漢字または熟語に変換して『確定』キーを押すと、その入力されたままのかな文字列が目的の漢字または熟語に対応づけられて、ミス修正辞書に追加登録されるものとする。
【００１１】
図３は、本発明のかな文字入力から漢字変換までの処理フローを表すフロー図である。以下に図３を参照しながら、図２に示した考え方に基き作成されたミス修正辞書を参照して、漢字変換する処理フローの説明を行う。業務の開始に当たって、業務内容を確認することにより、その業務用のミス修正辞書が選択される。本実施例では、見積業務、受注業務、発注業務の中から、『発注業務』が選択された場合を示す。全ての業務に関する漢字変換に対しては、汎用辞書４が用意され参照されるようになっている。この汎用辞書以外に、各業務に応じてミス修正辞書が用意され、本実施例では『見積業務』、『受注業務』、『発注業務』に対して、Ａ〜Ｃの業務用ミス修正辞書５が参照できるようになっている。図１では、例として『発注業務』が選択された場合について説明する。
【００１２】
オペレータのローマ字入力により、キーボード１からひらがなの文字列が入力され、オペレータにより変換キーが押下された場合（ステップＳ１）、先ず汎用辞書４により、該入力文字列に対応する熟語等の漢字変換文字の候補が検索される（ステップＳ２）。コンピュータが検索した結果で、いくつかの候補があり『Ｙ』の場合には、順次これらを変換表示し（ステップＳ３）、漢字変換された文字が目的のものであるか否か（ステップＳ４）により、目的の漢字でない場合には『変換キー』を押下し（ステップＳ５）、次の候補文字を表示させる。
【００１３】
ステップＳ３〜Ｓ５を繰り返しても目的の漢字が得られないとオペレータが判断した場合には、無変換キーを押下することでステップＳ７に進む。また、ステップＳ１で、変換キーで汎用辞書を参照しても最初から該当する漢字が検索されない場合には、コンピュータは候補なしとの判定により、同様にステップＳ７に進む。一方、ステップＳ４で目的の漢字が得られた場合には『Ｙ』に進み、オペレータが候補文字の中から目的の文字を決定させるために、確定キーを押下する（ステップＳ６）ことで、『はっちゅう』が『発注』に変換され確定して終了する。
【００１４】
再びステップＳ７に戻って説明を続けると、ステップＳ７では、コンピュータは汎用辞書に該当する漢字がないと判断した状態であり、オペレータがタイプミスの認識のもと、ミス修正辞書５による変換を試みるための変換キーが押下されるのを待ち受けている。本実施例では、発注業務であるＡ業務用のミス修正辞書５を参照する。ステップＳ８の検索結果で候補がある場合、ステップＳ９〜Ｓ１１に進み、目的の漢字変換が得られない場合、および検索結果で候補がない場合は、ステップＳ１２に進むことは、前記の汎用辞書による検索のステップＳ２〜Ｓ７のステップと同様である。また、ステップＳ１０で目的の漢字が得られた場合には『Ｙ』に進み、オペレータが候補文字の中から目的の文字を決定させるために、確定キーを押下する（ステップＳ６）ことで、ミス修正辞書５を参照した結果、『がっちゅう』が『発注』に変換され確定して終了する。
【００１５】
更にステップＳ１２では、汎用辞書４にも、個別業務用のミス修正辞書５にも、目的の漢字が登録されていない場合であるので、無変換のまま、当初にミス入力されたままのひらがなの文字列が表示されている状態である。そこで、オペレータは新たなミス入力文字列を、ミス修正辞書にミス修正字句として追加登録する作業に入るため、前記で説明した『強制登録』キーを押下する。本実施例では、オペレータにより『やっちゅう』とミス入力され、既存のミス修正辞書５には、該当する文字列がない場合であるので、オペレータの『強制登録』キーの押下後、表示されたミス入力文字列の『やっちゅう』の、『や』の１文字が『は』に修正されて『はっちゅう』の文字列とされた状態で、変換キーを押下されると、汎用辞書が検索され（ステップＳ１３）、検索結果で『発注』が表示され『確定キー』が押下される（ステップＳ１４）と、『やっちゅう』の字句が『発注』に対応づけてミス修正辞書５に追加登録される。これにより、次回以降も同様の入力ミスを発生した場合には、ミス修正辞書５から『発注』が検索される。
【図面の簡単な説明】
【００１６】
【図１】本実施例のかな漢字変換装置の概略構成図
【図２】キーボード配列から予測される入力ミスのかな文字列の説明図
【図３】ミス修正辞書参照による漢字変換手順フロー図
【符号の説明】
【００１７】
１    キーボード
２    制御部
３    表示部
４    汎用辞書
５    ミス修正辞書
【図１】
2005258571.tif 000003
【図２】
2005258571.tif 000004
【図３】
2005258571.tif 000005